(57)【要約】【課題】ユニット筐体のねじり剛性を向上させるとともに、ユニット筐体が水平面内で回転するのを抑制することが可能なユニットおよびそれを備えた画像形成装置を提供する。【解決手段】用紙搬送ユニット５０（ユニット）は、装着方向の下流側に配置される第１フレーム６１と、装着方向の上流側に配置される第２フレーム６２と、一対の端部フレーム６３および６４と、を有するユニット筐体６０と、第２フレーム６２に対して装着方向の上流側に配置され、装置本体１に対して装着方向に垂直な方向に位置決めされる位置決めフレーム７０と、第１フレーム６１、第２フレーム６２および位置決めフレーム７０を貫通する一対の貫通軸８０と、を備える。貫通軸８０には、装置本体１に係合してユニット筐体６０の着脱方向の移動を規制するロックピン８０ａが設けられている。【選択図】図２
2018192670.tif 000002
【特許請求の範囲】
【請求項１】
画像形成装置本体に対して挿入及び引き出し可能なユニットであって、
装着方向の下流側に配置され前記装着方向と直交する幅方向に延びる第１フレームと、前記装着方向の上流側に配置され前記幅方向に延びる第２フレームと、前記第１フレームおよび前記第２フレームの前記幅方向の一方端部同士および他方端部同士をそれぞれ接続する一対の端部フレームと、を有するユニット筐体と、
前記ユニット筐体に固定されるとともに前記第２フレームに対して前記装着方向の上流側に配置され、前記幅方向に延びるとともに前記画像形成装置本体に対して前記装着方向に垂直な方向に位置決めされる位置決めフレームと、
前記第１フレーム、前記第２フレームおよび前記位置決めフレームの前記幅方向の一方側同士および他方側同士をそれぞれ貫通する一対の貫通軸と、
を備え、
前記貫通軸のそれぞれには、前記貫通軸の径方向に突出し、前記画像形成装置本体に係合して前記ユニット筐体の着脱方向の移動を規制する規制ピンが設けられていることを特徴とするユニット。
【請求項２】
前記貫通軸は、軸中心回りに回転可能であり、
前記規制ピンは、前記画像形成装置本体に係合する係合位置と、前記画像形成装置本体に係合しない非係合位置と、に選択配置されることを特徴とする請求項１に記載のユニット。
【請求項３】
前記貫通軸を回転させるための操作レバーと、
前記操作レバーを回転可能に支持する回転軸と、
前記回転軸と前記一対の貫通軸とを連結するリンク機構と、
をさらに備え、
前記操作レバーが前記回転軸を中心として回転することにより前記規制ピンが前記係合位置と前記非係合位置とに選択配置されることを特徴とする請求項２に記載のユニット。
【請求項４】
前記回転軸は、前記位置決めフレームおよび前記第２フレームを貫通していることを特徴とする請求項３に記載のユニット。
【請求項５】
前記規制ピンが前記係合位置または前記非係合位置に配置された状態において、前記回転軸の回転を規制するように前記リンク機構を付勢するリンク付勢部材をさらに備えることを特徴とする請求項３または４に記載のユニット。
【請求項６】
前記ユニット筐体を引き出し方向に付勢する筐体付勢部材をさらに備え、
前記規制ピンは、前記筐体付勢部材の付勢力によって、前記画像形成装置本体のうちの前記ユニット筐体の前記引き出し方向の下流側に設けられた規制部に当接することを特徴とする請求項１〜５のいずれか１項に記載のユニット。
【請求項７】
前記位置決めフレームの前記幅方向の両端部には、前記画像形成装置本体に係合し前記装着方向に垂直な方向に位置決めされる位置決め部が設けられていることを特徴とする請求項１〜６のいずれか１項に記載のユニット。
【請求項８】
記録媒体を搬送する記録媒体搬送ユニットであることを特徴とする請求項１〜７のいずれか１項に記載のユニット。
【請求項９】
請求項１〜８のいずれか１項に記載のユニットを備えることを特徴とする画像形成装置。
【発明の詳細な説明】
【技術分野】
【０００１】
本発明は、ユニットおよびそれを備えた画像形成装置に関し、特に、画像形成装置本体に対して挿入及び引き出し可能なユニットおよびそれを備えた画像形成装置に関するものである。
【背景技術】
【０００２】
従来、ファクシミリ、複写機、プリンターのような画像形成装置では、搬送ユニットや中間転写ユニット等のユニットが画像形成装置本体に対して挿入及び引き出し可能に構成されている。
【０００３】
このようなユニットは、装着方向の上流側および下流側にそれぞれ配置される上流側フレームおよび下流側フレームと、上流側フレームおよび下流側フレームの一方端部同士および他方端部同士をそれぞれ接続する一対の端部フレームと、を有する箱形状のユニット筐体を備える。ユニット筐体の内部には、搬送ローラーや中間転写ベルト等が配置される。
【０００４】
なお、画像形成装置本体に対して挿入及び引き出し可能なユニットを備えた画像形成装置は、例えば特許文献１に開示されている。
【先行技術文献】
【特許文献】
【０００５】
【特許文献１】特許第４８１０３０５号
【発明の概要】
【発明が解決しようとする課題】
【０００６】
しかしながら、上記従来の画像形成装置では、ユニット筐体のねじり剛性が低い場合、ユニット筐体にねじれが生じる。また、ユニット筐体の画像形成装置本体に対する着脱方向の移動を規制するロック機構をユニット筐体の幅方向（着脱方向と直交する方向）の１箇所だけに設けている場合、ユニット筐体が水平面内で回転する。これらの場合、例えば、記録媒体の斜行（スキュー）や色ずれ等が生じる。
【０００７】
本発明は、上記のような課題を解決するためになされたものであり、本発明の目的は、ユニット筐体のねじり剛性を向上させるとともに、ユニット筐体が水平面内で回転するのを抑制することが可能なユニットおよびそれを備えた画像形成装置を提供することである。
【課題を解決するための手段】
【０００８】
上記目的を達成するために、本発明の第１の局面のユニットは、画像形成装置本体に対して挿入及び引き出し可能なユニットであって、装着方向の下流側に配置され装着方向と直交する幅方向に延びる第１フレームと、装着方向の上流側に配置され幅方向に延びる第２フレームと、第１フレームおよび第２フレームの幅方向の一方端部同士および他方端部同士をそれぞれ接続する一対の端部フレームと、を有するユニット筐体と、ユニット筐体に固定されるとともに第２フレームに対して装着方向の上流側に配置され、幅方向に延びるとともに画像形成装置本体に対して装着方向に垂直な方向に位置決めされる位置決めフレームと、第１フレーム、第２フレームおよび位置決めフレームの幅方向の一方側同士および他方側同士をそれぞれ貫通する一対の貫通軸と、を備える。貫通軸のそれぞれには、貫通軸の径方向に突出し、画像形成装置本体に係合してユニット筐体の着脱方向の移動を規制する規制ピンが設けられている。
【発明の効果】
【０００９】
本発明の第１の局面のユニットによれば、第１フレーム、第２フレームおよび位置決めフレームの前記幅方向の一方側同士および他方側同士をそれぞれ貫通する一対の貫通軸を備える。このように、３つのフレーム（第１フレーム、第２フレームおよび位置決めフレーム）を貫通する貫通軸を設けることによって、ユニット筐体のねじり剛性を効果的に向上させることができる。また、貫通軸を前記幅方向の一方側および他方側にそれぞれ設けることによって、ユニット筐体のねじり剛性をより効果的に向上させることができる。その結果、ユニット筐体にねじれが生じるのを抑制することができる。
【００１０】
また、画像形成装置本体に係合してユニット筐体の着脱方向の移動を規制する規制ピンが設けられた貫通軸を、前記幅方向の一方側および他方側に設けている。これにより、ユニット筐体が水平面内で回転するのを抑制することができる。
【図面の簡単な説明】
【００１１】
【図１】本発明の一実施形態の用紙搬送ユニットを備えた画像形成装置の概略構造を示した図である。
【図２】本発明の一実施形態の用紙搬送ユニットの構造を示した斜視図であり、ロックピンが係合位置に配置された状態を示した図である。
【図３】本発明の一実施形態の用紙搬送ユニットの端部フレームおよび位置決めフレームを除いた構造を示した斜視図であり、ロックピンが係合位置に配置された状態を示した図である。
【図４】本発明の一実施形態の用紙搬送ユニットの構造を示した斜視図であり、ロックピンが非係合位置に配置された状態を示した図である。
【図５】本発明の一実施形態の用紙搬送ユニットのロックピンが本体フレームの規制部材に当接した状態を示した斜視図である。
【図６】本発明の一実施形態の用紙搬送ユニットの端部フレームおよび位置決めフレームを除いた構造を示した斜視図であり、ロックピンが非係合位置に配置された状態を示した図である。
【図７】図３の操作レバー周辺の構造を示した斜視図である。
【図８】図３の矢印Ｂ方向のロックピン周辺の構造を示した斜視図である。
【図９】図６の操作レバー周辺の構造を示した斜視図である。
【図１０】図６の矢印Ｂ方向のロックピン周辺の構造を示した斜視図である。
【図１１】本発明の一実施形態の用紙搬送ユニットを装置本体に装着した状態を示した図である。
【図１２】図１１のユニット側コネクターおよび本体側コネクター周辺の構造を示した図である。
【図１３】図１１のユニット側カップリング部材および係合ピン周辺の構造を示した図である。
【発明を実施するための形態】
【００１２】
以下、本発明の実施形態について図面を参照して説明する。
【００１３】
図１〜図１３を参照して、本発明の一実施形態の用紙搬送ユニット５０を備えたインクジェット式の画像形成装置１００（ここではカラープリンター）について説明する。図１に示すように、画像形成装置１００は、装置本体（画像形成装置本体）１の内部下方に用紙収容部である給紙カセット２ａが配置されている。給紙カセット２ａの内部には、記録媒体の一例である用紙Ｓが収容されている。給紙カセット２ａの用紙搬送方向下流側、すなわち図１における給紙カセット２ａの左側の上方には給紙装置３ａが配置されている。この給紙装置３ａにより、用紙Ｓは図１において給紙カセット２ａの左上方に向け、１枚ずつ分離されて送り出される。
【００１４】
また、画像形成装置１００はその内部に第１用紙搬送路４ａを備えている。第１用紙搬送路４ａは、給紙カセット２ａに関して言えばその給紙方向である左上方に位置する。給紙カセット２ａから送り出された用紙Ｓは第１用紙搬送路４ａにより装置本体１の側面に沿って垂直上方に搬送される。
【００１５】
用紙搬送方向に対し第１用紙搬送路４ａの下流端にはレジストローラー対１３が備えられている。さらにレジストローラー対１３の用紙搬送方向下流側直近には第１搬送ユニット５及び記録部９が配置されている。給紙カセット２ａから送り出された用紙Ｓは第１用紙搬送路４ａを通ってレジストローラー対１３に到達する。レジストローラー対１３は用紙Ｓの斜め送りを矯正しつつ記録部９が実行するインク吐出動作とのタイミングを計り、第１搬送ユニット５に向かって用紙Ｓを送り出す。
【００１６】
用紙搬送方向に対し第１搬送ユニット５の下流側（図１の右側）には第２搬送ユニット１２が配置されている。記録部９にてインク画像が記録された用紙Ｓは第２搬送ユニット１２へと送られ、第２搬送ユニット１２を通過する間に用紙Ｓ表面に吐出されたインクが乾燥される。
【００１７】
用紙搬送方向に対し第２搬送ユニット１２の下流側であって装置本体１の右側面近傍にはデカーラー部１４が備えられている。第２搬送ユニット１２にてインクが乾燥された用紙Ｓはデカーラー部１４へと送られ、用紙Ｓに生じたカールが矯正される。
【００１８】
用紙搬送方向に対しデカーラー部１４の下流側（図１の上方）には第２用紙搬送路４ｂが備えられている。デカーラー部１４を通過した用紙Ｓは両面記録を行わない場合、第２用紙搬送路４ｂから画像形成装置１００の右側面外部に設けられた用紙排出トレイ１５に排出される。
【００１９】
装置本体１の上部であって記録部９及び第２搬送ユニット１２の上方には両面記録を行うための反転搬送路１６が備えられている。両面記録を行う場合には第一面への記録が終了して第２搬送ユニット１２及びデカーラー部１４を通過した用紙Ｓが第２用紙搬送路４ｂを通って反転搬送路１６へと送られる。反転搬送路１６へ送られた用紙Ｓは、続いて第二面の記録のために搬送方向が切り替えられ、装置本体１の上部を通過して左側に向かって送られ、第１用紙搬送路４ａ、及びレジストローラー対１３を経て第二面を上向きにした状態で再度第１搬送ユニット５へと送られる。
【００２０】
また、第２搬送ユニット１２の下方にはワイプユニット１９及びキャップユニット３０が配置されている。ワイプユニット１９は、パージを実行する際に記録部９の下方に水平移動し、記録部９の記録ヘッドの吐出ノズルから押出されたインクを拭き取り、拭き取られたインクを回収する。キャップユニット３０は、記録部９の記録ヘッドのインク吐出面をキャッピングする際に記録部９の下方に水平移動し、さらに上方に移動して記録ヘッドの下面に装着される。
【００２１】
ここで、本実施形態では、反転搬送路１６の一部は、装置本体１に対して前後方向（図１の紙面に対して垂直方向）に挿入および引き出し可能な用紙搬送ユニット（ユニット、記録媒体搬送ユニット）５０によって構成されている。用紙搬送ユニット５０には、用紙Ｓを搬送するための搬送ローラー対５２が反転搬送路１６に沿って複数配置されている。
【００２２】
図２に示すように、用紙搬送ユニット５０は、複数の搬送ローラー対５２（図１参照）を回転可能に支持するとともに、板金からなる箱形状のユニット筐体６０を有する。ユニット筐体６０は、装置本体１に対する用紙搬送ユニット５０の装着方向（矢印Ａ方向）の下流側に配置され装着方向と直交する幅方向（矢印ＢＢ´方向）に延びる第１フレーム６１と、第１フレーム６１の装着方向の上流側に配置され矢印ＢＢ´方向に延びる第２フレーム６２（図３参照）と、第１フレーム６１および第２フレーム６２の矢印ＢＢ´方向の一方端部（矢印Ｂ方向の端部）同士および他方端部（矢印Ｂ´方向の端部）同士をそれぞれ接続する一対の端部フレーム６３および６４と、を含んでいる。
【００２３】
第１フレーム６１および第２フレーム６２は、複数の搬送ローラー対５２（図１参照）を回転可能に支持する。また、第１フレーム６１および第２フレーム６２には、反転搬送路１６（図１参照）の下側ガイド面の一部を構成する複数のガイドフレーム６５が固定されている。ガイドフレーム６５には、搬送ローラー対５２（図１参照）の下側ローラーの上部を露出させるためのスリット６５ａが形成されている。
【００２４】
第１フレーム６１の矢印ＢＢ´方向の両端部には図４に示すように、装置本体１の位置決めピン１０１ａおよび１０１ｂがそれぞれ挿入される位置決め穴６１ａおよび６１ｂが形成されている。位置決め穴６１ａは、真円状に形成されており、装置本体１に対して上下方向および矢印ＢＢ´方向に位置決めされる。位置決め穴６１ｂは、矢印ＢＢ´方向に延びる長穴状に形成されており、装置本体１に対して上下方向に位置決めされる。
【００２５】
ユニット筐体６０には、第２フレーム６２（図３参照）に対して装着方向の上流側に配置され、矢印ＢＢ´方向に延びる位置決めフレーム７０が固定されている。位置決めフレーム７０は、板金を折り曲げることにより形成されており、第２フレーム６２の上方を覆う上面部７１と、上面部７１の矢印Ａ´方向の端部から下方に延びる前面部７２と、によって構成されている。上面部７１は第２フレーム６２に固定されており、前面部７２は端部フレーム６３および６４に固定されている。
【００２６】
上面部７１の矢印ＢＢ´方向の両端部には、後述するロックピン８０ａが挿通可能な開口部７１ａおよび切り欠き部７１ｂが矢印ＢＢ´方向に延びるように形成されている。
【００２７】
前面部７２は、第１フレーム６１および第２フレーム６２と平行に配置されているとともに、第１フレーム６１および第２フレーム６２よりも矢印ＢＢ´方向に長く形成されている。前面部７２の矢印ＢＢ´方向の両端部には図４および図５に示すように、装着方向の下流側に向かって突出するとともに、装置本体１の本体フレーム１０２の位置決め穴１０２ａおよび１０２ｂにそれぞれ挿入（係合）される位置決め突起（位置決め部）７５ａおよび７５ｂが設けられている。位置決め穴１０２ａは、真円状に形成されており、位置決め突起７５ａを上下方向および矢印ＢＢ´方向に位置決めする。位置決め穴１０２ｂは、矢印ＢＢ´方向に延びる長穴状に形成されており、位置決め突起７５ｂを上下方向に位置決めする。位置決め突起７５ａおよび７５ｂが位置決め穴１０２ａおよび１０２ｂにそれぞれ挿入されることによって、位置決めフレーム７０は装置本体１に対して装着方向に垂直な方向（上下方向および矢印ＢＢ´方向）に位置決めされる。
【００２８】
図２および図３に示すように、第１フレーム６１、第２フレーム６２および位置決めフレーム７０の矢印ＢＢ´方向の一方端部（矢印Ｂ方向の端部）同士および他方端部（矢印Ｂ´方向の端部）同士をそれぞれ貫通する一対の貫通軸８０が設けられている。貫通軸８０は、金属製であるとともに、軸中心回りに回転可能に第１フレーム６１、第２フレーム６２および位置決めフレーム７０に支持されている。
【００２９】
貫通軸８０のそれぞれには、貫通軸８０の径方向に突出し、装置本体１に係合してユニット筐体６０の着脱方向（矢印ＡＡ´方向）の移動を規制するロックピン（規制ピン）８０ａが設けられている。ロックピン８０ａは、貫通軸８０のうちの第２フレーム６２および位置決めフレーム７０の間の位置に配置されている。ロックピン８０ａは、貫通軸８０が回転することによって、図５に示すように装置本体１の本体フレーム１０２のうちのロックピン８０ａの引き出し方向（矢印Ａ´方向）の下流側に設けられた規制部材（規制部）１０２ｃに当接（係合）する係合位置（図２、図３および図５の位置）と、本体フレーム１０２に当接しない非係合位置（図４および図６の位置）と、に選択配置される。ロックピン８０ａは、係合位置に配置された状態では位置決めフレーム７０の上面部７１の開口部７１ａおよび切り欠き部７１ｂから上方に突出し、非係合位置に配置された状態では上面部７１の下方に配置される。
【００３０】
図２および図３に示すように、位置決めフレーム７０の装着方向の下流側には、貫通軸８０を回転させるための操作レバー８１が配置されている。操作レバー８１は、金属製の回転軸８２に固定されている。回転軸８２は、第２フレーム６２および位置決めフレーム７０を貫通するとともに、軸中心回りに回転可能に第２フレーム６２および位置決めフレーム７０に支持されている。
【００３１】
回転軸８２は、リンク機構９０を介して一対の貫通軸８０に連結されている。リンク機構９０は図３、図７および図８に示すように、回転軸８２および一対の貫通軸８０のそれぞれに固定される３つの固定片９１と、矢印ＢＢ´方向に延びるとともにリンク軸９２を介して固定片９１に連結されるリンク部材９３と、によって構成されている。
【００３２】
操作レバー８１が回転軸８２を中心として回転すると、リンク部材９３が図２、図３、図７、図８の位置、又は図４、図６、図９、図１０の位置に移動し、貫通軸８０が回転する。なお、固定片９１の上端部には、矢印Ａ´方向に折り曲げられた回転規制部９１ａが設けられている。回転規制部９１ａがリンク部材９３の上端に当接することによって、操作レバー８１、回転軸８２および貫通軸８０の回転が約９０度の範囲に規制される。
【００３３】
リンク部材９３の両端部には図８に示すように、矢印Ａ´方向に突出するとともに、圧縮コイルバネからなるリンク付勢部材８５によって上方に付勢される被付勢部９３ａが形成されている。リンク付勢部材８５は、位置決めフレーム７０の前面部７２から矢印Ａ´方向に突出するとともに上方に延びる付勢部材取付部７２ａに取り付けられている。リンク付勢部材８５の付勢力によって、操作レバー８１、回転軸８２および貫通軸８０は、図７および図８の位置、又は図９および図１０の位置に保持される。すなわち、ロックピン８０ａは、係合位置又は非係合位置に保持される。
【００３４】
また、ユニット筐体６０（図２参照）は、複数の筐体付勢部材によって引き出し方向（矢印Ａ´方向）に付勢されている。具体的には図１１に示すように、第１フレーム６１の装着方向の下流側には、ユニット側コネクター５５が設けられている。装置本体１には、ユニット側コネクター５５に連結される本体側コネクター１０５が設けられている。ユニット側コネクター５５および本体側コネクター１０５は、用紙搬送ユニット５０と装置本体１とを電気的に接続するドロワーコネクターを構成する。
【００３５】
本体側コネクター１０５は図１２に示すように、矢印Ａ´方向に延びる２本のガイドピン１０６に沿って摺動可能に構成されているとともに、ガイドピン１０６のそれぞれに取り付けられた圧縮コイルバネからなるコネクター付勢部材（筐体付勢部材）１０７によって矢印Ａ´方向に付勢されている。このため、用紙搬送ユニット５０が装置本体１に装着された状態（図１１および図１２の状態）でユニット筐体６０はコネクター付勢部材１０７によって矢印Ａ´方向に付勢されている。
【００３６】
また、図１１および図１３に示すように、搬送ローラー対５２の上側ローラー５３の回転軸５３ａの入力端（矢印Ａ方向の端部）には、ユニット側カップリング部材５６が固定されている。装置本体１には、ユニット側カップリング部材５６の係合凹部５６ａに係合する係合ピン１０８ａを有する駆動軸１０８が設けられている。ユニット側カップリング部材５６および係合ピン１０８ａによってカップリング部が構成されている。駆動軸１０８には、図示しない駆動源から回転駆動力が伝達される。駆動軸１０８に伝達された回転駆動力は、カップリング部（係合ピン１０８ａおよびユニット側カップリング部材５６）を介して回転軸５３ａに伝達され、上側ローラー５３が回転する。
【００３７】
また、ユニット側カップリング部材５６と第１フレーム６１との間には、圧縮コイルバネからなるカップリング付勢部材（筐体付勢部材）５７が配置されている。カップリング付勢部材５７は、回転軸５３ａに取り付けられている。用紙搬送ユニット５０が装置本体１に装着された状態（図１１および図１３の状態）で、カップリング付勢部材５７は、圧縮されており、第１フレーム６１（又は、回転軸５３ａの図示しない軸受部材）を矢印Ａ´方向に付勢する。
【００３８】
本実施形態の画像形成装置１００では、用紙搬送ユニット５０を装置本体１に装着する場合、ロックピン８０ａが非係合位置（図４の位置）に配置された状態で、用紙搬送ユニット５０を装置本体１の前面側から装着方向（矢印Ａ方向）にスライドさせる。これにより、第１フレーム６１の位置決め穴６１ａおよび６１ｂに装置本体１の位置決めピン１０１ａおよび１０１ｂがそれぞれ挿入されるとともに、位置決めフレーム７０の位置決め突起７５ａおよび７５ｂが装置本体１の位置決め穴１０２ａおよび１０２ｂにそれぞれ挿入される。そして、ユニット側コネクター５５と本体側コネクター１０５とが連結するとともに、ユニット側カップリング部材５６と係合ピン１０８ａとが係合する。
【００３９】
その後、操作レバー８１を図４の状態から時計回り方向に回転させると、リンク部材９３が図４の位置から図２の位置に移動するとともに貫通軸８０が時計回り方向に約９０度回転する。これにより、ロックピン８０ａが係合位置に配置される。ユニット筐体６０はコネクター付勢部材１０７および複数のカップリング付勢部材５７によって矢印Ａ´方向に付勢され、ロックピン８０ａは本体フレーム１０２の規制部材１０２ｃ（図５参照）に当接する。
【００４０】
一方、用紙搬送ユニット５０を装置本体１から引き出す場合、操作レバー８１を図２の状態から反時計回り方向に回転させると、リンク部材９３が図２の位置から図４の位置に移動するとともに貫通軸８０が反時計回り方向に約９０度回転する。これにより、ロックピン８０ａが非係合位置に配置される。そして、操作レバー８１を把持して矢印Ａ´方向に引っ張ることによって、用紙搬送ユニット５０が装置本体１から引き出される。
【００４１】
本実施形態では、上記のように、３つのフレーム（第１フレーム６１、第２フレーム６２および位置決めフレーム７０）を貫通する貫通軸８０を設けることによって、ユニット筐体６０のねじり剛性を効果的に向上させることができるとともに、ユニット筐体６０の組立精度を向上させることができる。また、貫通軸８０を矢印ＢＢ´方向の一方側および他方側にそれぞれ設けることによって、ユニット筐体６０のねじり剛性をより効果的に向上させることができるとともに、ユニット筐体６０の組立精度をより向上させることができる。そして、ユニット筐体６０のねじり剛性を向上させることができるので、ユニット筐体６０にねじれが生じるのを抑制することができる。
【００４２】
また、装置本体１に係合してユニット筐体６０の着脱方向の移動を規制するロックピン８０ａが設けられた貫通軸８０を、矢印ＢＢ´方向の一方側および他方側に設けている。これにより、ユニット筐体６０が水平面内で回転するのを抑制することができる。
【００４３】
以上から、用紙Ｓの斜行（スキュー）が生じるのを抑制することができる。
【００４４】
また、上記のように、貫通軸８０は、軸中心回りに回転可能であり、ロックピン８０ａは、装置本体１に係合する係合位置と、装置本体１に係合しない非係合位置と、に選択配置される。これにより、貫通軸８０を回転させてロックピン８０ａを係合位置に配置することによって、用紙搬送ユニット５０が装置本体１から引き出し方向に移動する（抜け出る）のを容易に抑制することができる。また、貫通軸８０を回転させてロックピン８０ａを非係合位置に配置することによって、用紙搬送ユニット５０を容易に引き出すことができる。
【００４５】
また、上記のように、操作レバー８１と、操作レバー８１を回転可能に支持する回転軸８２と、回転軸８２と一対の貫通軸８０とを連結するリンク機構９０と、を備える。これにより、１つの操作レバー８１を操作することによって、２つのロックピン８０ａを同時に係合位置と非係合位置とに選択配置することができる。
【００４６】
また、上記のように、回転軸８２は、位置決めフレーム７０および第２フレーム６２を貫通している。これにより、ユニット筐体６０のねじり剛性をより向上させることができる。
【００４７】
また、上記のように、ロックピン８０ａが係合位置または非係合位置に配置された状態において、回転軸８２の回転を規制するようにリンク機構９０を付勢するリンク付勢部材８５を備える。これにより、貫通軸８０が振動等により意図せず回転してしまうのを抑制することができる。
【００４８】
また、上記のように、ユニット筐体６０は、筐体付勢部材（カップリング付勢部材５７およびコネクター付勢部材１０７）により引き出し方向に付勢され、ロックピン８０ａは、装置本体１の規制部材１０２ｃに当接する。これにより、ユニット筐体６０の着脱方向の移動を容易に抑制することができる。
【００４９】
また、上記のように、位置決めフレーム７０には、位置決め突起７５ａおよび７５ｂが設けられている。これにより、ユニット筐体６０を装置本体１に対して容易に装着方向に垂直な方向に位置決めすることができる。また、位置決め突起７５ａおよび７５ｂを矢印ＢＢ´方向の両端部に設けることによって、ユニット筐体６０にねじれが生じるのをより抑制することができるとともに、ユニット筐体６０の位置決め精度をより向上させることができる。
【００５０】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００５１】
例えば、上記実施形態では、本発明をインクジェット式の画像形成装置に適用する例について示したが、本発明はこれに限らず、インクジェット式以外の画像形成装置（例えば、電子写真方式の画像形成装置）にも適用可能である。
【００５２】
また、上記実施形態では、本発明を用紙搬送ユニット５０に適用する例について示したが、本発明はこれに限らず、中間転写ユニットやその他のユニットにも適用可能である。
【００５３】
また、上記実施形態では、用紙搬送ユニット５０を装置本体１に位置決めするために、第１フレーム６１に位置決め穴６１ａおよび６１ｂを設け、位置決めフレーム７０に位置決め突起７５ａおよび７５ｂを設けた例について示したが、本発明はこれに限らない。例えば、第１フレーム６１に位置決め突起を設けてもよいし、位置決めフレーム７０に位置決め穴（位置決め部）を設けてもよい。
【００５４】
また、上記実施形態では、デカーラー部１４を用紙搬送ユニット５０とは別に設けた例について示したが、デカーラー部１４を用紙搬送ユニット５０に設けてもよい。
【符号の説明】
【００５５】
１  装置本体（画像形成装置本体）
５０  用紙搬送ユニット（ユニット、記録媒体搬送ユニット）
５７  カップリング付勢部材（筐体付勢部材）
６０  ユニット筐体
６１  第１フレーム
６２  第２フレーム
６３、６４  端部フレーム
７０  位置決めフレーム
７５ａ、７５ｂ  位置決め突起（位置決め部）
８０  貫通軸
８０ａ  ロックピン（規制ピン）
８１  操作レバー
８２  回転軸
８５  リンク付勢部材
９０  リンク機構
１００  画像形成装置
１０２ｃ  規制部材（規制部）
１０７  コネクター付勢部材（筐体付勢部材）
Ｓ  用紙（記録媒体）
【図１】
2018192670.tif 000003
【図２】
2018192670.tif 000004
【図３】
2018192670.tif 000005
【図４】
2018192670.tif 000006
【図５】
2018192670.tif 000007
【図６】
2018192670.tif 000008
【図７】
2018192670.tif 000009
【図８】
2018192670.tif 000010
【図９】
2018192670.tif 000011
【図１０】
2018192670.tif 000012
【図１１】
2018192670.tif 000013
【図１２】
2018192670.tif 000014
【図１３】
2018192670.tif 000015